(57)【要約】【課題】洗濯物から染み出た染料による色移りを防ぎ、洗濯物の黒ずみを抑制すること。【解決手段】水受け槽４底面部と水受け槽４前上部に設けた洗濯槽５内を臨む吐出口１７とを連通する水循環経路１９上で循環ポンプ１８の上流側に、イオン交換基を持つフィルタ装置２０を設けるとともに、洗い行程において、循環ポンプ１８を駆動させることにより、水受け槽４内の水をフィルタ装置２０で濾過しながら循環させて、吐出口１７から洗濯槽５内へ吐出させる構成とすることにより、洗濯中に黒や濃色の洗濯物から染み出た直接染料や酸性染料などの有機染料分子をフィルタの持つイオン交換基で吸着し、染料が他の色の薄い洗濯物に色移りすることを防ぎ、洗濯物の黒ずみを抑制するので、色の薄い衣類と黒や濃色の衣類を一緒にまとめて洗濯することができる。【選択図】図１
2020171577.tif 000002
【特許請求の範囲】
【請求項１】
筐体内に弾性支持した水受け槽と、前記水受け槽内に回転自在に設けた洗濯槽と、前記水受け槽内または前記洗濯槽内に給水する給水手段と、前記洗濯槽を駆動するモータと、前記モータ、給水手段の動作を制御する制御手段と、前記制御手段が前記給水手段、モータを駆動して行う洗い行程にて、洗濯水に浸漬する位置にイオン交換基を持つフィルタ装置と、を備えた洗濯機。
【請求項２】
前記水受け槽内の洗濯水を前記洗濯槽内に吐出させる水循環手段を備え、前記フィルタ装置は前記水循環経路に設けられており、洗濯運転時には、前記水受け槽内の洗濯水を前記水循環手段により前記フィルタ装置内を通過させた後、前記洗濯槽内に吐出する請求項１に記載の洗濯機。
【発明の詳細な説明】
【技術分野】
【０００１】
本発明は、洗い、すすぎ、脱水などの運転を行う洗濯機に関する。
【背景技術】
【０００２】
従来、この種の洗濯機は、洗浄性能を高めるために、水受け槽内の洗濯水を循環ポンプで持ち上げて、洗濯槽内の洗濯物に目掛けて吐出し、洗濯物に降りかける構成が提案されている（例えば、特許文献１参照）。
【０００３】
図３は、特許文献１に記載されたドラム式洗濯機の縦断面図である。
【０００４】
図３において、筐体５１内には、衣類出入用の第１開口部５３ａを持った外槽５６が、サスペンション構造（図示せず）によって弾性支持されており、外槽５６には、第１開口部と同一部分に開口する第２開口部６５ａと、水平方向または水平方向から傾斜した回転軸をもった回転ドラム５４が回転自在に内包されている。また、回転ドラム５４は、外槽５６外底部に設けられた駆動モータ５７によって回転駆動される。また、外槽５６内に給水する給水手段５９を有している。
【０００５】
そして、外槽５６には、回転ドラム５４の回転に伴って外槽５６内を回転する洗濯水が入り込む取水口６０と、取水口６０と一端が連通する第１の循環水路６２，第２の循環水路６６、第３の循環水路６７、第４の循環水路６８と、循環水路の他端と連通し回転ドラム内に洗濯水を吐出する吐出口７２が設けられている。また、外槽５６の底部には洗濯水を加熱する温水用ヒータ５０が設けられ、筺体５１上部前面側には、駆動モータ５７、給水手段５９、温水用ヒータ５０等を制御して、洗い、すすぎ、脱水等の各行程を逐次制御する制御手段５５が設けられている。
【０００６】
この構成により、温水が吐出口７２より回転ドラム内５４に勢い良く吐出される。そして、この吐出水は、回転ドラム５４の回転ごとに洗濯物にふりそそがれ、洗浄性能を高めることができる。
【先行技術文献】
【特許文献】
【０００７】
【特許文献１】特開２００７−１１７１３５号公報
【発明の概要】
【発明が解決しようとする課題】
【０００８】
しかしながら、前記従来の構成では、水循環手段で洗濯水を洗濯物に吐出することで洗浄力は向上するものの、色の薄い洗濯物と同時に黒や濃色の洗濯物を洗濯する場合は、直接染料や酸性染料など染料の種類や後加工処理の違いで、繊維との結合が弱い染料分子が繊維から引き離され、洗濯水に染み出る染料の量が増え、他の色の薄い洗濯物にその染料が再付着して色移りや黒ずみが増加するという課題があった。
【０００９】
特に、使用する水量が少ないドラム式洗濯機などでは洗濯液が高濃度になるので、洗濯水中に染み出た染料も高濃度となり、他の洗濯物に再付着する確率が高まることとなる。
【００１０】
本発明は、洗濯中の黒や濃色の洗濯物から染み出た染料が他の色の薄い洗濯物に色移りすることを防ぐ洗濯機を提供する。
【課題を解決するための手段】
【００１１】
前記従来の課題を解決するために、本発明の洗濯機は、筐体内に弾性支持した水受け槽と、前記水受け槽内に回転自在に設けた洗濯槽と、前記水受け槽内または前記洗濯槽内に給水する給水手段と、前記洗濯槽を駆動するモータと、前記モータ、給水手段の動作を制御する制御手段とを備える。また、前記制御手段が前記給水手段、モータを駆動して行う洗い行程にて、洗濯水に浸漬する位置にイオン交換基を持つフィルタ装置を備える。
【発明の効果】
【００１２】
本発明の洗濯機は、洗濯中の黒や濃色の洗濯物から染み出た染料が他の色の薄い洗濯物に色移りすることを防ぐので、色の薄い衣類と黒や濃色の衣類を一緒にまとめて洗濯することができる。
【図面の簡単な説明】
【００１３】
【図１】本発明の実施の形態におけるドラム式洗濯機の縦断面図
【図２】同ドラム式洗濯機の制御ブロック図
【図３】従来のドラム式洗濯機の縦断面図
【発明を実施するための形態】
【００１４】
以下、発明の実施の形態について、図面を参照しながら説明する。なお、この実施の形態によって本発明が限定されるものではない。
【００１５】
（実施の形態１）
図１は、本発明の実施の形態におけるドラム式洗濯機の縦断面図、図２は、同ドラム式洗濯機の制御ブロック図である。
【００１６】
図１、図２において、ドラム式洗濯機の本体１は、ダンパ２およびサスペンション３により水受け槽４をその内部に揺動自在に防振支持している。
【００１７】
水受け槽４は、その内部に略水平方向に回転自在に支持された、洗濯物を収容する洗濯槽５を有し、水受け槽４の正面側に設けた開口部を蓋体６により開閉自在に覆い、この蓋体６を開くことにより衣類投入口７より洗濯槽５内に洗濯物を出し入れできるようになっている。
【００１８】
さらに、洗濯槽５には水受け槽４の中心に回転自在に軸支された回転軸８が中心に固定されており、回転軸８他端にはドラムプーリ９が固定され、モータ１０の有するモータプーリ１１とドラムプーリ９はベルト１２により連結されている。
【００１９】
モータ１０は、水受け槽４の底部に取り付けられ、モータプーリ１１およびドラムプーリ９は、ベルト１２を介してモータ１０の動力を洗濯槽５に回転自在に伝達する。
【００２０】
また、水受け槽４の上部には、洗剤投入容器１３と給水手段１４を配設しており、洗剤投入容器１３と給水手段１４は給水経路１５により連結されている。
【００２１】
給水手段１４は、本体１外部からの水を、給水経路１５を介して洗剤投入容器１３に送るものであり、洗剤投入容器１３に送り込まれた水は、水受け槽４と洗剤投入容器１３を連結している注水ホース１６を介して水受け槽４および洗濯槽５に給水される。
【００２２】
また、本体１底部には、循環ポンプ１８が配設されており、循環ポンプ１８が動作すると、水受け槽４内の洗濯水を、水受け槽４底面部に接続された排水管２９から水循環経路１９を介して、水受け槽４前上部に設けた洗濯槽５内を臨む吐出口１７から洗濯槽５内に
シャワー状に吐出する。
【００２３】
そして、この水循環経路１９の途中で、循環ポンプ１８の上流側に、イオン交換基を持ち、例えば、セルロース主成分の不織布フィルタで形成されたフィルタ装置２０が設けられている。
【００２４】
また、排水菅２９には、排水手段２２が接続されており、排水手段２２が動作すると、水受け槽４内の水が機外へ排水される。
【００２５】
本体１上方内部には制御手段２１が配設されており、本体１上方前面部には使用者が運転コース等のモードや各種機能の選択、設定を行なう入力設定手段２５と、その設定内容などの表示を行なう表示手段２６を有する操作表示部２４が配設されている。
【００２６】
制御手段２１は、操作表示部２４を操作することにより得られた情報をもとに、運転を開始し、給水手段１４、モータ１０、排水手段２２、循環ポンプ１８などの動作を制御し、洗い、すすぎ、脱水等の一連の各行程を制御する。
【００２７】
また、水位検知手段２３は水受け槽４内に給水された水の水位を検知するものであり、布量検知手段２７は、洗濯槽５内に投入された洗濯物の布量を検知するものである。
【００２８】
さらに、図１には図示していないが、水受け槽４内の水を温める温水ヒータ２８も設けられている。
【００２９】
以上のように構成された洗濯機について、以下、その動作、作用を説明する。
【００３０】
まず、蓋体６を開け、衣類投入口７から洗濯物を洗濯槽５に投入し、蓋体６を閉めた後、操作表示部２４の入力設定手段２５により行程内容を設定し、運転を開始する。
【００３１】
運転が開始されると、モータ１０を短時間だけ左右回転駆動させて布量検知手段２７にて布量を検知し、布量に合った水位と洗剤量を決定する。そして、使用者が洗剤投入容器１３に洗剤を入れると、給水手段１４が動作して、給水経路１５を介して洗剤投入容器１３内の洗剤を給水で流して、洗剤と水を水受け槽４に投入する。
【００３２】
水位検知手段２３により所定の水位を検知すると、給水を停止し、モータ１０が駆動して、洗い行程が始まる。洗い行程では、洗濯物に水が含まれて水位が下がるため所定の水位になるように補給水しながら、洗濯槽５はモータ１０によって正転反転されて、洗い攪拌が行われる。
【００３３】
この時、循環ポンプ１８が動作し、水受け槽４内の洗濯水を、水循環経路１９側に吸引し、イオン交換基を持つフィルタ装置２０を通した後、水循環経路１９内を上昇させて、吐出口１７から洗濯槽５内の洗濯物を目掛けてシャワー状に吐出させる。
【００３４】
なお、すすぎ行程においても、洗い攪拌と同様のすすぎ攪拌を行ない、循環ポンプ１８を動作させて、すすぎ水を、フィルタ装置２０を通し、吐出口１７から洗濯槽５内の洗濯物に向かって吐出させても良い。
【００３５】
このように、水受け槽４、洗濯槽５内の水をフィルタ装置２０で濾過することにより、洗濯中に黒や濃色の洗濯物から染み出た直接染料や酸性染料などの有機染料分子を、フィルタ装置２０内のフィルタが持つイオン交換基で吸着することができるので、洗濯物の黒ずみを抑制し、色の薄い衣類と黒や濃色の衣類を一緒にまとめて洗濯することができる。
【００３６】
以上のように、本実施の形態においては、水受け槽４底面部と水受け槽４前上部に設けた洗濯槽５内を臨む吐出口１７とを連通する水循環経路１９上で循環ポンプ１８の上流側に、イオン交換基を持つフィルタ装置２０を設けるとともに、洗い行程において、循環ポンプ１８を駆動させることにより、水受け槽４内の水をフィルタ装置２０で濾過しながら循環させて、吐出口１７から洗濯槽５内へ吐出させる構成とすることにより、洗濯中に黒や濃色の洗濯物から染み出た直接染料や酸性染料などの有機染料分子をフィルタの持つイオン交換基で吸着し、染料が他の色の薄い洗濯物に色移りすることを防ぎ、洗濯物の黒ずみを抑制するので、色の薄い衣類と黒や濃色の衣類を一緒にまとめて洗濯することができる。
【産業上の利用可能性】
【００３７】
本開示は、洗い、すすぎ、脱水などの運転を行う洗濯機に適用可能である。具体的には、縦型洗濯機、ドラム式洗濯機、二槽式洗濯機などに、本開示は適用可能である。
【符号の説明】
【００３８】
１  本体
４  水受け槽
５  洗濯槽
１０  モータ
１４  給水手段
１７  吐出口
１８  循環ポンプ
１９  水循環経路
２０  フィルタ装置
２１  制御手段
【図１】
2020171577.tif 000003
【図２】
2020171577.tif 000004
【図３】
2020171577.tif 000005